(57)【要約】【課題】膨縮自在な密閉膜材製で、平常時は下方の低高さに縮小しているが大津波到来前に上方に伸長させて津波を堰止める機能を有した上方伸長式の防潮堤を提供する。【解決手段】上部側に設けた膨縮自在な横長筒体２内にヘリウムガス注入装置６からヘリウムガスを注入することで該横長筒体２に浮力を発生させる一方、横長筒体２の下部に連続している膨縮自在な縦長壁体３内に圧縮空気注入装置７から圧縮空気を注入することで、実質的に防潮壁となる縦長壁体３を確実に伸長させ得るようにしているとともに、縦長壁体３に、上下に所定間隔をもって複数本の補強パイプ３２を横向き姿勢で取付けていることにより、膜材製（強度が弱い）の縦長壁体３であっても補強パイプ３２により補強し得るようにした。【選択図】  図５
2017031702.tif 000002
【特許請求の範囲】
【請求項１】
海岸沿いに設けて平常時は下方の低高さに縮小しているが大津波到来前に上方に伸長させて津波を堰止める機能を有した上方伸長式の防潮堤であって、
上記防潮堤の上部側に設けられていて径方向に膨縮自在な筒状密閉膜材（２１）からなる横長筒体（２）と、該横長筒体（２）の下部に連続していて上下方向に膨縮自在な壁状密閉膜材（３１）からなる縦長壁体（３）と、上記横長筒体（２）内にヘリウムガスを注入するためのヘリウムガス注入装置（６）と、上記縦長壁体（３）内に圧縮空気を注入するための圧縮空気注入装置（７）とを備えている一方、
上記横長筒体（２）は、上記ヘリウムガス注入装置（６）によりヘリウムガスが注入されると浮力が発生するものであり、
上記縦長壁体（３）は、上記圧縮空気注入装置（７）により圧縮空気が注入されると上方に伸長して上記横長筒体（２）を押し上げる作用を発揮するものであるとともに、
上記縦長壁体（３）の壁状密閉膜材（３１）に、上下に所定間隔をもって複数本の補強パイプ（３２，３２・・）を横向き姿勢で取付けている、
ことを特徴とする上方伸長式の防潮堤。
【請求項２】
請求項１において、
上記横長筒体（２）と上記縦長壁体（３）とはそれぞれ左右に同長さを有したものを一単位の防潮ユニット（１）として、複数個の防潮ユニット（１，１）を順次左右に連続配置している一方、
上記各防潮ユニット（１，１）間に該防潮ユニット（１）の最大伸長時の高さとほぼ同高さを有した補強支柱（４）を介設しているとともに、
該補強支柱（４）の側面に上記縦長壁体（３）の補強パイプ（３２）の端部を上下にガイドする縦長のガイド溝（４３）を設けて、該ガイド溝（４３）で上記各補強パイプ（３２，３２・・）の端部を上下にガイドさせている、
ことを特徴とする上方伸長式の防潮堤。
【請求項３】
請求項１又は２において、
上記縦長壁体（３）の海側近傍位置に、複数枚の横長ガード材（５２，５２・・）を上下に屈伸自在に折畳んだ状態の屈伸ガード体（５１）を動力装置（５５）で上方に伸展させ得るようにした上方伸長式の防護壁装置（５）を設置しているとともに、
上記屈伸ガード体（５１）は、想定される津波高さに見合う高さまで上方に伸展させ得るようにしたものである、
ことを特徴とする上方伸長式の防潮堤。
【発明の詳細な説明】
【技術分野】
【０００１】
本願発明は、海岸沿い設けて大津波発生時に津波を堰止める機能を有した防潮堤に関し、さらに詳しくは平常時は下方の低高さに縮小しているが大津波発生時（大津波到来予告時）に上方に伸長させて津波を堰止め得るようにした上方伸長式の防潮堤に関するものである。
【背景技術】
【０００２】
津波高さが例えば２０メートルを超えるような巨大津波が沿岸に押し寄せると、沿岸付近の低地では、ごく短時間で水没し且つ巨大水圧を受ける（押し流される）ことにより、多くの人命を失う危険があるとともに各種施設（建造物等）が崩壊する等の大惨事が発生する。
【０００３】
ところで、大津波防御対策として、沿岸の長い範囲に亘って巨大津波高さ（例えば波高さが２０メートル超）に見合った高層（例えば高さ３０メートル超）の固定防潮堤を構築することが考えられる。このように高層の固定防潮堤を沿岸の長い範囲に亘って構築すると、大津波が沿岸に押し寄せたときに防潮（津波堰止め）機能を発揮するものの、景観面や海岸利用面等で極めて大きな難点があるので現実的ではない。
【発明の概要】
【発明が解決しようとする課題】
【０００４】
そこで、本願発明は、膨縮自在な密閉膜材からなる簡易な構造体であって、平常時は下方の低高さに縮小しているが大津波発生時（大津波到来予告時）に上方に伸長させて津波を堰止める機能を有しているとともに、簡易な構造体であっても津波衝突に対する耐久性を付与し得るようにした上方伸長式の防潮堤を提供することを目的としている。
【課題を解決するための手段】
【０００５】
本願発明は、上記課題を解決するための手段として次の構成を有している。
【０００６】
「本願請求項１の発明」
本願請求項１の発明は、海岸沿いに設けて平常時は下方の低高さに縮小しているが大津波到来予告時に上方に伸長させて津波を堰止める機能を有した上方伸長式の防潮堤を対象にしている。尚、本願発明の名称は「上方伸長式の防潮堤」であるが、以下の説明ではこの「上方伸長式の防潮堤」を単に「防潮堤」と表現することがある。
【０００７】
そして、本願請求項１の防潮堤は、該防潮堤の上部側に設けられていて径方向に膨縮自在な筒状密閉膜材からなる横長筒体と、該横長筒体の下部に連続していて上下方向に膨縮自在な壁状密閉膜材からなる縦長壁体と、上記横長筒体内にヘリウムガスを注入するためのヘリウムガス注入装置と、上記縦長壁体内に圧縮空気を注入するための圧縮空気注入装置とを備えている一方、横長筒体は、ヘリウムガス注入装置によりヘリウムガスが注入されると浮力が発生するものであり、縦長壁体は、圧縮空気注入装置により圧縮空気が注入されると上方に伸長して横長筒体を押し上げる作用を発揮するものであるとともに、縦長壁体の壁状密閉膜材に、上下に所定間隔をもって複数本の補強パイプを横向き姿勢で取付けていることを特徴としている。
【０００８】
上記ヘリウムガス注入装置は、ヘリウムガス（比重が非常に軽く、安全な気体である）を圧縮状態で封入したヘリウムガスタンクを使用し、必要時（大津波到来予告時）に該ヘリウムガスタンク内のヘリウムガスを供給管を通して上記横長筒体内に注入し得るものである。
【０００９】
上記圧縮空気注入装置は、空気（大気）を圧縮状態で封入した圧縮空気タンクを使用したり、又は（及び）大容量の空気圧送ポンプを使用して、必要時（大津波到来予告時）に圧縮空気を供給管を通して上記縦長壁体内に注入し得るものである。
【００１０】
尚、ヘリウムガス注入装置及び圧縮空気注入装置の各作動は、それぞれ設置現場での手動操作で行える一方、消防署等の公共機関からの遠隔操作でも行えるようにするとよい。
【００１１】
上記横長筒体の筒状密閉膜材には、比較的強靭な非通気性シート材（例えばテント材）が使用されている。そして、この横長筒体は、通常は（ヘリウムガス非注入状態では）その筒状密閉膜材が偏平状に縮んでいて上下厚さが薄くなっているが、該筒状密閉膜材内にヘリウムガスが注入されると横長筒状に膨張し、内部に注入されたヘリウムガス（比重が軽い）により浮力が発生するものである。尚、この横長筒体の大きさは、特に限定するものではないが、最大膨張状態で直径が３〜５メートル、左右長さが４０〜５０メートル程度のものが採用可能である。
【００１２】
上記縦長壁体も、比較的強靭な非通気性シート材（例えばテント材）が使用されている。この縦長壁体は、その壁状密閉膜材の下端部が地上側に気密状態で固定されている一方、該壁状密閉膜材の上端部が横長筒体の下面に気密状態で固定されていて、内部が密閉状態を維持している。そして、この縦長壁体は、通常は（圧縮空気非注入状態では）壁状密閉膜材が低高さに縮小しているが、該壁状密閉膜材内に圧縮空気が注入されると大津波を堰止め得る高さ範囲まで縦壁状に伸長するようになっている。尚、この横長筒体の大きさは、特に限定するものではないが、最大伸長状態で前後厚さが３〜５メートル、上下長さが３０〜４０メートル、左右長さが４０〜５０メートル（上記横長筒体と同長さ）程度のものが採用可能である。
【００１３】
縦長壁体の壁状密閉膜材に取付けた補強パイプには、例えばアルミ合金のような軽量で曲げ強度のあるものが採用される。この各補強パイプは、縦長壁体の左右全長に亘る長さを有したもので、壁状密閉膜材の側面部に対して上下に所定間隔（例えば３〜４メートル間隔）を持って横向き姿勢で取付けている。尚、縦長壁体が低高さに縮小している状態では、各補強パイプが上下に近接している一方、各補強パイプ間の壁状密閉膜材は全周に亘って襞状に撓んでいる。
【００１４】
上記横長筒体と上記縦長壁体は、平常時は頑丈な格納庫（例えば鉄筋コンクリート製）内に収納しておくとよい。尚、該格納庫は、津波衝突時の水圧に耐え得るように地面にアンカーを打ち込んで固定しておくとよい。
【００１５】
本願請求項１の防潮堤は、次のように機能する。
【００１６】
まず、平常時は横長筒体及び縦長壁体の各内部の気体を抜いておくことにより、横長筒体の筒状密閉膜材を偏平に縮ませておく一方、縦長壁体の壁状密閉膜材を低高さに縮小させておくことができる。この状態では、横長筒体と縦長壁体からなる防潮堤の全高は例えば３〜４メートル程度の比較的低高さとなっていて、該防潮堤の上方は見通しのよい空所となっている。
【００１７】
そして、大津波警報が発表されたときに、その津波の予想高さや予想到達時刻等を吟味して、津波による重大な被害が発生するおそれがあると判断したときには、ヘリウムガス注入装置及び圧縮空気注入装置をそれぞれ作動させる。すると、ヘリウムガス注入装置により横長筒体内にヘリウムガスが注入される（横長筒体が筒状に膨らむ）ことにより、該横長筒体にヘリウムガスによる浮力が発生して縦長壁体の上部側を上方に引き上げていく一方、縦長壁体内に圧縮空気が注入されることで該縦長壁体が上方に膨張して横長筒体を上方に押し上げる機能が生じ、それらの両作用によって比較的短時間で横長筒体と縦長壁体とで所定高さ（例えば３０〜４０メートル高さ）の防潮壁を完成させることができる。このとき、縦長壁体内への空気注入量を多くするほど（縦長壁体内の気圧が高くなる）、該縦長壁体の自立姿勢が安定するようになる。
【００１８】
他方、上記のように防潮壁完成状態では、縦長壁体の壁状密閉膜材に上下に所定間隔をもって複数本の補強パイプが横向き姿勢で取付けられていて、該各補強パイプにより縦長壁体の側面部を補強できるので、該補強パイプが縦長壁体部分に津波が衝突したときの破損防止機能を発揮する。
【００１９】
「本願請求項２の発明」
本願請求項２の発明は、上記請求項１の防潮堤において次の各構成を付加している。
【００２０】
即ち、この請求項２の発明の防潮堤では、横長筒体と縦長壁体とはそれぞれ左右に同長さを有したものを一単位の防潮ユニットとして、複数個の防潮ユニットを順次左右に連続配置している一方、該各防潮ユニット間に防潮ユニットの最大伸長時の高さとほぼ同高さ（例えば３０〜４０メートル高さ）を有した補強支柱を介設しているとともに、該補強支柱の側面に縦長壁体の補強パイプの端部を上下にガイドする縦長のガイド溝を設けて、該ガイド溝で各補強パイプの端部を上下にガイドさせていることを特徴としている。
【００２１】
この請求項２の防潮堤において、上記一単位の防潮ユニットの左右長さは、例えば４０〜５０メートル程度（特に限定するものではない）に設定できる。そして、左右に連続設置された各防潮ユニット間にはそれぞれ高さの高い（例えば３０〜４０メートル高さの）補強支柱が立設されているが、この各補強支柱間の防潮ユニットは通常は低高さ（例えば３〜４メートル高さ）に維持されているので、該防潮ユニットの上方は見通しのよい空間部のままである。
【００２２】
又、各補強支柱は、その下方部分の所定深さを地中に埋め込んでおくことにより、強固に（倒れないように）立設させておくことができる。
【００２３】
そして、この請求項２の防潮堤では、縦長壁体に設けた各補強パイプの端部を、それぞれ補強支柱の側面に設けた縦長のガイド溝にガイドさせていることにより、縦長壁体の上方伸長動作が安定するとともに、縦長壁体が最大伸長して防潮壁を完成させた状態では各補強パイプにより縦長壁体が前後に位置保持されるようになる。
【００２４】
「本願請求項３の発明」
本願請求項３の発明は、上記請求項１又は２の防潮堤において、縦長壁体の海側近傍位置に、複数枚の横長ガード材を上下に屈伸自在に折畳んだ状態の屈伸ガード体を動力装置で上方に伸展させ得るようにした上方伸長式の防護壁装置を設置しているとともに、上記屈伸ガード体は、想定される津波高さ（例えば３０メートル程度）に見合う高さまで上方に伸展させ得るようにしたものである。
【００２５】
ところで、大津波発生時には、該津波に乗って巨大漂流物（船舶や巨大浮遊物）が押し寄せてくることがある。他方、本願で完成される防潮壁はそれぞれ膜材からなる横長筒体と縦長壁体とで構成されたもので、巨大漂流物の衝突に対する強度は非常に弱いものである。
【００２６】
そこで、この請求項３の発明は、大津波到来前に横長筒体と縦長壁体とで縦長に完成させた防潮壁の海側近傍位置に、上方伸長式の防護壁装置を設けて防潮壁部分に巨大漂流物が衝突するのを阻止し得るようにしたものである。
【００２７】
上記防護壁装置において、屈伸ガード体は、多数枚の横長ガード材を順次ヒンジで連続して上下に屈伸させ得るようにしたものである。そして、この屈伸ガード体は、平常時には地上に近い低位置でジグザグに折畳んでいるが、大津波発生時（到来前）には動力装置により想定される津波高さに見合う高さ（例えば３０メートル超）まで上方に伸展さ得るようになっている。
【００２８】
屈伸ガード体の各横長ガード材は、巨大漂流物が衝突しても容易に破損しない高強度材で矩形に形成されたものが適用される。尚、この横長ガード材は、巨大漂流物は阻止するが大津波の水圧は逃がす（通過させる）ような構造のものが好ましく、例えば該横長ガード材として横長の矩形枠内に金網を張設したものが好適である。
【００２９】
防護壁装置における動力装置としては、多重筒をそれぞれ油圧シリンダで伸縮させるようにした油圧式伸縮筒を使用することができる。そして、この防護壁装置は、最上段の横長ガード材を動力装置（油圧式伸縮筒の最上部）で上方に持ち上げることにより、折畳んでいた屈伸ガード体を津波高さに見合う高さまで上方に伸展させ得るようにしたものである。
【発明の効果】
【００３０】
「本願請求項１の発明の効果」
本願請求項１の発明の防潮堤には、次のような効果がある。
(1) 横長筒体と縦長壁体とがそれぞれ膨縮自在な膜材製であって、横長筒体内にヘリウムガス注入装置によりヘリウムガスを注入する一方、縦長壁体内に圧縮空気注入装置により圧縮空気を注入することで、それぞれ膨張させた横長筒体と縦長壁体により所望高さ（津波高さに見合う高さ）の防潮壁を構築できるので、防潮堤を極めて簡単且つ安価に構築できる。
(2) 平常時は横長筒体と縦長壁体とを縮ませておくことにより、防潮壁の全体高さを低高さ（例えば３〜４メートル程度の高さ）に維持させておくことができるので、景観面や海岸利用面等の不利益を軽減できる。
(3) 防潮壁成形時（上方に伸長させるとき）に、横長筒体内にヘリウムガス（非常に軽い気体）を注入することで該横長筒体に浮力が発生して、その浮力によって縦長壁体の上部を引き上げる機能が発生する一方、縦長壁体内に圧縮空気が注入されることで該縦長壁体が上方に膨張して横長筒体を上方に押し上げる機能が生じるので、それらの両作用によって比較的短時間で横長筒体と縦長壁体とで所定高さ（例えば３０〜４０メートル高さ）の防潮壁を完成させることができる。
(4) 横長筒体がヘリウムガス注入により浮力が発生するので、縦長壁体内への圧縮空気の注入だけでは該縦長壁体の上方伸長能力に乏しい場合であっても、確実に縦長壁体を上方に伸長させることができる。
(5) 縦長壁体の壁状密閉膜材に、上下に所定間隔をもって複数本の補強パイプを横向き姿勢で取付けているので、縦長壁体の上下膨縮機能を損ねることなく、各補強パイプで縦長壁体（壁状密閉膜材）を補強できる。
(6) 大津波到来前に防潮壁が完成していると、該防潮壁で津波被害を軽減できるとともに、住民の避難時間を確保できる。
【００３１】
「本願請求項２の発明の効果」
本願請求項２の発明は、上記請求項１の防潮堤において、横長筒体と縦長壁体とはそれぞれ左右に同長さを有したものを一単位の防潮ユニットとし、各防潮ユニット間に防潮ユニットの最大伸長時の高さとほぼ同高さ（例えば３０〜４０メートル高さ）を有した補強支柱を介設しているとともに、補強支柱の側面に縦長壁体の補強パイプの端部を上下にガイドする縦長のガイド溝を設けて、該ガイド溝で各補強パイプの端部を上下にガイドさせたものである。
【００３２】
従って、この請求項２の防潮堤は、上記請求項１の効果に加えて、縦長壁体に設けた各補強パイプの端部を、それぞれ補強支柱のガイド溝にガイドさせていることにより、縦長壁体の上方伸長動作が安定するとともに、縦長壁体が最大伸長して防潮壁を完成させた状態で該縦長壁体を前後に位置保持させることができるという効果がある。
【００３３】
「本願請求項３の発明の効果」
本願請求項３の発明は、上記請求項１又は２の防潮堤において、縦長壁体の海側近傍位置に、複数枚の横長ガード材を上下に屈伸自在に折畳んだ状態の屈伸ガード体を動力装置で上方に伸展させ得るようにした上方伸長式の防護壁装置を設置したものである。
【００３４】
この請求項３の防潮堤では、大津波到来前に、横長筒体と縦長壁体とによる所定高高さの防潮壁を完成させた状態で防護壁装置の屈伸ガード体を上方に伸展させておくことにより、津波に乗って押し寄せてくる巨大漂流物（船舶や巨大浮遊物）が上記防潮壁に衝突する前に該屈伸ガード体で阻止できる。
【００３５】
従って、この請求項３の防潮堤では、上記請求項１又は２の効果に加えて、防護壁装置により上記巨大漂流物（船舶や巨大浮遊物）が上記防潮壁に衝突するのを解消できるという効果がある。
【図面の簡単な説明】
【００３６】
【図１】本願実施例の防潮堤を海側から見た正面図である。
【図２】図１のII−II拡大断面図である。
【図３】図１のIII−III拡大断面図（又は図２のIII−III断面図）である。
【図４】図２のIV部分の拡大図である。
【図５】図３からの状態変化図で、大津波到来時の防潮堤形態図である。
【図６】本願実施例の防潮堤の他の使用例を示す斜視図である。
【発明を実施するための形態】
【００３７】
以下、図１〜図６を参照して本願の実施例を説明すると、この実施例の防潮堤は、海岸沿いに設置されて大津波到来時に津波を堰止める機能を発揮するものである。そして、図１〜図５には、防潮堤を海岸沿いに一列状態で設置した第１実施例（第１使用例）を示し、図６には、防潮堤を海岸近くに建設した構築物Ｘの周囲を囲うように設置した第２実施例（第２使用例）を示している。
【００３８】
「図１〜図５の第１実施例」
図１〜図５に示す第１実施例の防潮堤は、海岸沿いの所定長さ範囲に亘って一列状態で設置したものである。そして、この第１実施例の防潮堤は、径方向に膨縮自在な横長筒体２と、該横長筒体２の下部に連続していて上下に膨縮自在な縦長壁体３と、後述するように横長筒体２と縦長壁体３からなる防潮ユニット１，１の接続部間に介設された補強支柱４と、上記横長筒体２内にヘリウムガスを注入するためのヘリウムガス注入装置６と、上記縦長壁体３内に圧縮空気を注入するための圧縮空気注入装置７と、後述の防潮壁Ｙ（図５参照）に巨大漂流物Ｚが衝突するのを阻止するための防護壁装置５とを基本構成としている。
【００３９】
横長筒体２（図３、図５）には、比較的強靭な非通気性シート材（例えばテント材）製で径方向に膨縮自在な筒状密閉膜材２１が使用されている。そして、この横長筒体２の筒状密閉膜材２１内には、後述するようにヘリウムガス注入装置６によりヘリウムガスが注入されるが、通常は（平常時には）図３に示すように横長筒体２内にヘリウムガスが注入されていないので、筒状密閉膜材２１が偏平状に縮んで上下厚さが薄くなっている。尚、図３の例示では、縮ませた筒状密閉膜材２１の偏平部分の幅方向（前後方向）両端部分をそれぞれ上方に折り返して平面形状の面積を小さくしている。
【００４０】
縦長壁体３は、比較的強靭な非通気性シート材（例えばテント材）製の壁状密閉膜材３１が使用されている。この壁状密閉膜材３１は、前後二重の側面部３１ａ，３１ｂ（図５）を有し上下方向に膨縮自在な壁状密閉膜材３１が使用されている。そして、この縦長壁体３は、壁状密閉膜材３１の下端部が地上側に気密状態で固定されている一方、該壁状密閉膜材３の上端部が横長筒体２の下面に気密状態で固定されていて、内部が密閉状態を維持している。
【００４１】
この縦長壁体３内には、後述する圧縮空気注入装置７により圧縮空気が注入されるが、通常は（平常時には）図３に示すように縦長壁体３内の空気を排除していることにより、壁状密閉膜材３１が全周に亘ってジグザグ状に撓んで該縦長壁体３全体が低高さとなっている。
【００４２】
ヘリウムガス注入装置６は、図２、図３、図５に示すように、ヘリウムガス（非常に軽い気体）を圧縮状態で封入したヘリウムガスタンク６１を使用し、必要時（大津波到来予告時）にバルブ６２を開放することでヘリウムガスタンク６１内のヘリウムガスを供給管６３を通して上記横長筒体２内に注入し得るものである。尚、ヘリウムガス注入装置６用の供給管６３の先端側は縦長壁体３内を通して横長筒体２の下面に接続しているが、後述するように防潮壁伸長時には横長筒体２が上動する関係で、該供給管６３は縦長壁体３内において３０〜３５メートル程度の撓み部分（符号６３ａ部分）を有している。
【００４３】
圧縮空気注入装置７は、図２、図３、図５に示すように、空気を圧縮状態で封入した圧縮空気タンク７１を使用し、必要時（大津波到来予告時）にバルブ７２を開放することで圧縮空気タンク７１内の圧縮空気供給管７３を通して上記縦長壁体３内に注入し得るものである。尚、この圧縮空気注入装置７としては、縦長壁体３内に対して、上記圧縮空気タンク７１からの圧縮空気注入に加えて、空気圧送ポンプを用いて該空気圧送ポンプからも圧縮空気を注入するようにしてもよい。
【００４４】
横長筒体２は、平常時には図３に示すように偏平状態に縮んでいるが、緊急時（大津波到来予告時）には筒状密閉膜材２１内にヘリウムガス注入装置６からヘリウムガスが注入されることにより、図３に鎖線図示（符号２′）するように横長円筒状に膨張するようになっている。そして、横長筒体２内にヘリウムガス（軽い気体である）が充満すると、該横長筒体２に浮力が発生して、その浮力により下方に連続している縦長壁体３（壁状密閉膜材３１）の上部側を上方に引き上げる機能が生じる。
【００４５】
他方、縦長壁体３も、平常時には図３に示すように壁状密閉膜材３１の側面部がジグザク状に縮んでいて低高さとなっているが、緊急時（大津波到来予告時）には壁状密閉膜材３１内に圧縮空気注入装置７から圧縮空気が注入されることにより、該縦長壁体３（壁状密閉膜材３１）が図５に示すように縦長壁状に膨張するようになっている。
【００４６】
上記横長筒体２と上記縦長壁体３とは、それぞれ左右に同長さを有したものを一単位の防潮ユニット１（図１、図２、図３、図５参照）としている。
【００４７】
そして、この各防潮ユニット１，１・・は、図１及び図２に示すように、順次左右に連続配置しているとともに、各防潮ユニット１，１・・間にそれぞれ補強支柱４，４・・を介設している。尚、各補強支柱４，４・・は、その下方部分の所定深さを地中に埋め込んでおくことにより、強固に（倒れないように）立設させておくことができる。又、該各補強支柱４，４・・の陸側側面には、支え材４１を設けておくとよい。
【００４８】
この補強支柱４，４・・は、図１及び図５に示すように、防潮ユニット１の最大伸長時（防潮ユニット１が防潮壁Ｙとなる）の高さとほぼ同高さを有しているが、この各補強支柱４，４間の防潮ユニット１は通常は図３のように低高さに維持されているので、該防潮ユニット１の上方は見通しのよい空間部のままである。
【００４９】
上記防潮ユニット１の縦長壁体３は、左右の補強支柱４，４間において次のように設置されている。
【００５０】
まず、上記縦長壁体３の壁状密閉膜材３１には、図２〜図５に示すように、該壁状密閉膜材３１を補強するための複数本の補強パイプ３２，３２・・が取付けられている。尚、この補強パイプ３２には、例えばアルミ合金のような軽量で曲げ強度のあるものが採用される。
【００５１】
この各補強パイプ３２，３２・・は、縦長壁体３の左右全長に亘る長さを有したものであって、壁状密閉膜材３１の一方（海側）の側面部３１ａに対して上下に所定間隔（例えば３〜４メートル間隔）を持って横向き姿勢で取付けている。尚、図４に示すように、補強パイプ３２は壁状密閉膜材３１の側面部３１ａの外面に止めバンド３４でで固着させている。
【００５２】
そして、縦長壁体３が低高さに縮小している状態（図３）では、各補強パイプ３２，３２・・が上下に近接している一方、各補強パイプ３２，３２間の壁状密閉膜材３１は全周に亘って襞状（ジグザグ）に撓んでいる。
【００５３】
各補強パイプ３２，３２・・の左右各端部は、図２及び図４に示すように縦長壁体３（壁状密閉膜材３１）の左右端部より小長さだけ外方に突出している。尚、補強パイプ３２の各端部には、図４に拡大図示するように転動輪３２ａを取付けておくとよい。
【００５４】
尚、この第１実施例では、図３及び図５に示すように、上記補強パイプ３２は、軽量化のために壁状密閉膜材３１の海側側面部３１ａのみに取付けているが、該補強パイプ３２を壁状密閉膜材３１における陸側の側面部３１ｂ（図５）にも取付けてもよい。このように、補強パイプ３２を壁状密閉膜材３１の前後両側面部３１ａ，３１ｂに取付けると、縦長壁体３を伸長させるときの負荷が大きくなるが、縦長壁体３への補強機能は大きいものとなる。
【００５５】
上記各補強支柱４の側面には、図２〜図５に示すように、縦長壁体３の各補強パイプ３２，３２・・の各端部３２ａを上下にガイドする縦長ガイド材４２を取付けている。この縦長ガイド材４２には、横断面コ形のガイド溝４３が設けられていて、図４に拡大図示するように補強パイプ３２の端部（転動輪３２ａ）を該ガイド溝４３に沿って上下にガイドし得るようにしている。
【００５６】
防潮ユニット１の前後及び上部は、保護膜材８で被覆している。この保護膜材８は、防潮ユニット１の外側を被覆することで、特に図５に示す防潮壁Ｙの完成時に防潮ユニット１に漂流物が直接接触するのを防止するものである。尚、この補助膜材８も、平常時（図３）は低高さ位置に折畳まれているが、防潮ユニット１の上方伸長（図５）に伴って上方に伸展するようになっている。
【００５７】
ところで、大津波到来時には、図５に示すように該津波Ｗに乗って巨大漂流物Ｚ（船舶や巨大浮遊物）が押し寄せてくることがある。他方、本願第１実施例の防潮堤（防潮壁Ｙ）はそれぞれ膜材からなる横長筒体２と縦長壁体３とで構成されたもので、巨大漂流物Ｚの衝突に対する強度は非常に弱いものである。
【００５８】
そこで、この第２実施例の防潮堤には、大津波到来前に縦長に完成させた防潮壁Ｙの海側近傍位置に上方伸長式の防護壁装置５を設けて、防潮壁Ｙ部分に巨大漂流物Ｚが衝突するのを阻止し得るようにしている。
【００５９】
この防護壁装置５は、防潮ユニット１（縦長壁体３）の海側近傍位置に設置されていて、複数枚の横長ガード材５２，５２・・を上下に屈伸自在に折畳んだ状態の屈伸ガード体５１を動力装置５５で上方に伸展させ得るようにしたものである。
【００６０】
防護壁装置５の屈伸ガード体５１は、多数枚の横長ガード材５２，５２・・を順次ヒンジ５３で連続して上下に屈伸させ得るようにしたものである。そして、この屈伸ガード体５１は、平常時（図３）には地上に近い低位置でジグザグに折畳んでいるが、緊急時（大津波到来予告時）には、図５に示すように動力装置５５により想定される津波高さに見合う高さ（例えば３０メートル超）まで上方に伸展させ得るようになっている。
【００６１】
屈伸ガード体５１の各横長ガード材５２は、巨大漂流物Ｚが衝突しても容易に破損しない高強度材で矩形に形成されたものが適用される。尚、この横長ガード材５２は、巨大漂流物Ｚは阻止するが大津波の水圧は逃がす（通過させる）ような構造のものが好ましく、例えば該横長ガード材５２として横長の矩形枠体内に金網を張設したものが好適である。
【００６２】
防護壁装置５における動力装置５５としては、多重筒をそれぞれ油圧シリンダで伸縮させるようにした油圧式伸縮筒を採用している。尚、この動力装置（油圧式伸縮筒）は、一単位の屈伸ガード体５１に対して複数箇所に設けられる。
【００６３】
そして、この防護壁装置５は、最上段の横長ガード材５２を動力装置５５（油圧式伸縮筒の最上部）で上方に持ち上げることにより、折畳んでいた屈伸ガード体５１（図３）を津波高さに見合う高さまで上方に伸展（図５）させ得るようにしたものである。
【００６４】
上記横長筒体２と縦長壁体３と防護壁装置５（屈伸ガード体５１、動力装置５５）と保護膜材８とは、図３に示す最縮小状態でそれぞれ格納庫９内に収納している。この格納庫９は、津波衝突時の水圧に耐え得るような頑丈な構造体（例えば鉄筋コンクリート製）である。尚、この格納庫９は、地面にアンカー９ａ（図３、図５）を打ち込んで固定しておくとよい。又、格納庫９の上部開口は、雨水等の侵入を阻止するために蓋板１０（図３）で被覆しておき、必要時に該蓋板１０を開放するようにするとよい。
【００６５】
上記ヘリウムガス注入装置６と上記圧縮空気注入装置７と上記防護壁装置５の各操作は、現場においてそれぞれの手動操作で行える一方、消防署等の公共機関からの遠隔操作でも行えるようにするとよい。
【００６６】
ここで、この第１実施例の防潮堤における各種部分の大きさの概略を示しておく。尚、以下の各大きさは、それぞれ特に限定するものではなく、適宜に設計変更し得るものである。
【００６７】
上記横長筒体２の大きさは、図５に示す最大膨張状態で直径が３〜５メートル、左右長さが４０〜５０メートル程度に設定できる。
【００６８】
上記縦長壁体３の大きさは、図５に示す最大伸長状態で前後厚さが３〜５メートル、上下長さが３０〜４０メートル、左右長さが４０〜５０メートル（横長筒体２と同じ）程度に設定できる。
【００６９】
横長筒体２及び縦長壁体３の各縮み状態（図３）では、該横長筒体２と縦長壁体３からなる防潮ユニット１の全高が３〜４メートル程度の低高さとなる。尚、低高さの防潮ユニット１を格納する格納庫９の高さも３〜４メートル程度である。
【００７０】
上記防護壁装置５は、その縮み状態（図３）での全高が３〜４メートル程度の低高さである一方、上方伸長状態（図５）では屈伸ガード体５１の上端高さが想定される津波高さ（例えば３０メートル程度）に見合う高さ以上になるように設定できる。
【００７１】
次に、図１〜図５に示す第１実施例の防潮堤の使用方法並びに機能について説明する。
【００７２】
まず、平常時は図１の実線図示及び図３に図示するように、横長筒体２及び縦長壁体３の各内部の気体を抜いておき、防護壁装置５も最縮小させておくことにより、それらが格納庫９内に収まる低高さとなる。
【００７３】
そして、大津波警報が発表されたときに、その津波の予想高さや予想到達時刻等を吟味して、津波による重大な被害が発生するおそれがあると判断したとき（公共機関による大津波到来予告時）には、蓋板１０（図３）を開き、ヘリウムガス注入装置６及び圧縮空気注入装置７をそれぞれ作動させるとともに、防護壁装置５の動力装置５５を伸長作動させる。尚、各作動装置（６，７，５）への操作は、現場において手動で行ってもよいが、消防署等の公共機関で遠隔管理している場合には、該公共機関において遠隔操作することができる。
【００７４】
上記各作動装置を操作すると、ヘリウムガス注入装置６により横長筒体２内にヘリウムガスが注入される（横長筒体２が順次筒状に膨らんでいく）ことにより、該横長筒体２に浮力が発生し（図３の符号２′の状態）、縦長壁体３の上部側を上方に引き上げていく一方、縦長壁体３内に圧縮空気が注入されることで該縦長壁体３が上方に膨張して横長筒体２を上方に押し上げる機能が生じる。従って、それらの両作用により比較的短時間で（津波到達前に）横長筒体２と縦長壁体３とで所定高さ（例えば３０〜４０メートル高さ）の防潮壁Ｙ（図５）を完成させることができる。尚、防潮壁Ｙが上方に伸長するのに連れて、保護膜材８も上方に引き上げられていく。
【００７５】
又、縦長壁体３が上方に伸長する際には、壁状密閉膜材３１に取付けている各補強パイプ３２，３２・・の端部３２ａ（図４）が補強支柱４の縦長ガイド材４２（ガイド溝４３）にガイドされて上動するので、縦長壁体３の伸長動作が安定するとともに、壁状密閉膜材３１における補強パイプ３２側の側面部３１ａが外側に膨れない。
【００７６】
これとは別に、防護壁装置５の動力装置５５により、図５に示すように屈伸ガード体５１が上方に展張されていき、最上段の横長ガード材５２が想定される津波高さに見合う高さ（例えば３０メートル超）まで持ち上げられる。
【００７７】
図５に示す防潮堤完成状態で大津波Ｗが該防潮堤に押し寄せると、その津波水が屈伸ガード体５１を通過して防潮壁Ｙ（保護膜材８は撓む）の海側の側面に達するが、縦長壁体３における壁状密閉膜材３１の海側側面部３１ａには上下に間隔をもって複数本の補強パイプ３２，３２・・が取付けられているので、該各補強パイプ３２，３２・・によって壁状密閉膜材３１の海側側面部３１ａを補強できる。又、各補強パイプ３２，３２・・の各端部３２ａは、強固な補強支柱４に取付けた縦長ガイド材４２にガイドされているので、防潮壁Ｙの海側側面部（符号３１ａ）に津波Ｗの水圧がかかっても該防潮壁Ｙの海側側面部３１ａが大きく変形（陸側に大きく撓む）ことがない。従って、該補強パイプ３２が津波Ｗの水圧に対してかなり大きな耐久力を発揮する。
【００７８】
他方、大津波に乗って巨大漂流物Ｚ（船舶や巨大浮遊物）が防潮堤に押し寄せてくることがあるが、防潮壁Ｙ部分の前（海側）に津波高さに見合う高さまで上方に伸展させた屈伸ガード体５１があるので、上記巨大漂流物Ｚが防潮壁Ｙに衝突する前に屈伸ガード体５１で阻止できるという機能がある（巨大漂流物Ｚが防潮壁Ｙに衝突するのを未然に防止できる）。
【００７９】
尚、津波が終息した後には、図５の状態から、防護壁装置５の動力装置５５を縮小操作して屈伸ガード体５１を下方に折畳む一方、横長筒体２内のヘリウムガス及び縦長壁体３内の圧縮空気をそれぞれ排出することで、図３に示すように元の格納状態にすることができる。
【００８０】
「図６の第２実施例」
図６には、図１〜図５に示す実施例の防潮堤を使用して、海際に建設している構築物Ｘ（原発施設や工場建物等）の周囲（４面）を囲ったものである。
【００８１】
即ち、図６に示す第２実施例では、構築物Ｘの４隅の各外方にそれぞれ所定高高さ（例えば高さが３０〜４０メートル程度）の補強支柱４Ａ，４Ａ・・を立設している一方、隣接する２本１組の補強支柱４Ａ，４Ａ間（４箇所ある）に第１実施例と同様な横長筒体と縦長壁体からなる上方伸長式の防潮ユニット１Ａ，１Ａ・・を介設したものである。
【００８２】
そして、平常時は各防潮ユニット１Ａ，１Ａ・・を実線図示する低高さに縮小させているが、緊急時（大津波到来予告時）には、第１実施例のヘリウムガス注入装置及び圧縮空気注入装置により各防潮ユニット１Ａ，１Ａ・・をそれぞれ鎖線図示（符号１Ａ′）するように両補強支柱４Ａ，４Ａに沿って上方に伸長させることで、構築物Ｘの周囲４面をそれぞれ防潮ユニット１Ａ′，１Ａ′・・で包囲し得るようになっている。
【００８３】
従って、この第２実施例の防潮堤では、大津波到来時に構築物Ｘを囲っている各防潮ユニット１Ａ′，１Ａ′・・の外側には津波水が充満するが、各防潮ユニットの内側への浸水を阻止できる機能がある。
【００８４】
尚、この第２実施例で使用されている各防潮ユニット１Ａ（１Ａ′）は、基本的に上記第１実施例（図１〜図５）の防潮ユニット１と同じ機能をするものである。
【符号の説明】
【００８５】
１は防潮ユニット、２は横長筒体、３は縦長壁体、４は補強支柱、５は防護壁装置、６はヘリウムガス注入装置、７は圧縮空気注入装置、２１は筒状密閉膜材、３１は壁状密閉膜材、３２は補強パイプ、４２は縦長ガイド材、４３はガイド溝、５１は屈伸ガード体、５２は横長ガード材、５５は動力装置、６１はヘリウムガスタンク、７１は圧縮空気タンク、Ｘは構築物、Ｙは防潮壁、Ｚは巨大漂流物である。
【図１】
2017031702.tif 000003
【図２】
2017031702.tif 000004
【図３】
2017031702.tif 000005
【図４】
2017031702.tif 000006
【図５】
2017031702.tif 000007
【図６】
2017031702.tif 000008